(57)【要約】【課題】デザインが高く、且つ押し回し操作や回動操作を確実に行うことができるツマミ部材を備えた調理装置を提供する。【解決手段】加熱部３を操作する回動操作軸６を基端部１６側に装着するツマミ部材４を備える。ツマミ部材４は、円形状の先端面部１２と、基端部１６に向かって延びる外周面部１３とを備える。外周面部１３は、その横断面視形状が、先端面部１２側に位置する始端１８ａから基端部１６側に位置する終端１８ｂにかけて直線状に延びる複数の角部を有する多角形状となるように形成されており、基端部１６の外接円は、先端面部１２の外接円と同径以下であり、角部１８の内角は、始端１８ａより終端１８ｂの方が小とされている。【選択図】図３
2019132558.tif 000002
【特許請求の範囲】
【請求項１】
加熱部と、該加熱部を操作する回動操作軸と、該回動操作軸を基端部側に装着するツマミ部材とを備える調理装置において、
前記ツマミ部材は、前記回動操作軸の軸線に直交する方向に広がる円形状の先端面部と、該先端面部の外周から前記回動操作軸の軸線に沿って前記基端部に向かって延びる外周面部とを備え、
前記外周面部は、少なくとも前記回動操作軸の軸線に沿った方向の所定範囲の横断面視形状が、先端面部側に位置する始端から基端部側に位置する終端にかけて直線状に延びる複数の角部を有する多角形状となるように形成されており、
前記外周面部の基端部の外接円は、先端面部の外接円と同径以下であり、
前記外周面部の多角形状を構成する各角部の内角は、該角部の始端より該角部の終端の方が小とされていることを特徴とする調理装置。
【請求項２】
前記ツマミ部材の多角形状の前記外周面部は、外接円が前記基端部に近づくに従い次第に小径となる形状とされていることを特徴とする請求項１記載の調理装置。
【請求項３】
前記ツマミ部材における前記外周面部の各角部は、周方向に沿って等間隔に配設されていることを特徴する請求項１又は２記載の調理装置。
【請求項４】
前記ツマミ部材の前記外周面部における横断面視多角形の辺の形状は、先端側から基端側にかけての各位置において、前記外周面部の外接円を超えない範囲で、凸状の円弧から直線を経て凹状の円弧に変化することを特徴する請求項１〜３の何れか１項記載の調理装置。
【請求項５】
前記ツマミ部材の前記外周面部は、７〜９角形に形成されていることを特徴とする請求項１〜４の何れか１項記載の調理装置。
【請求項６】
前記ツマミ部材の前記外周面部の外接円の直径は、３３mm〜３８mmに設定されていることを特徴とする請求項５記載の調理装置。
【発明の詳細な説明】
【技術分野】
【０００１】
本発明は、加熱部を備える調理装置に関し、詳しくは、ツマミ部材の回動により加熱部を操作する調理装置に関する。
【背景技術】
【０００２】
この種の調理装置として、加熱部であるガスバーナを備えるガスコンロが挙げられる。ガスコンロでは、ガスバーナの点火・消火、及びガスバーナへの燃料の供給量を調節するためのガスコックを備えているものがある。ガスコックは回動操作軸を備え、回動操作軸には、使用者が回転操作を行う際に摘むためのツマミ部材が取り付けられる。
【０００３】
ガスバーナに点火するとき、ツマミ部材を介してガスコックの回動操作軸を押し込んで回転させる所謂押し回し操作を行う。また、ガスバーナの火力を調節するときには、ツマミ部材を押し込むことなく回動させる操作を行う。
【０００４】
従来、ツマミ部材として、回動操作軸が連結される円形のベース部と、ベース部の直径に沿って突出するツマミ突起とを備えているものが知られている（例えば、特許文献１参照）。この形状のツマミ部材は、ツマミ突起を摘むことで、押し回し操作や回動操作が極めて容易に行える。
【０００５】
一方、近年においては、デザイン性を向上させるにあたり、極度な凹凸を有するツマミ部材に替えて、凹凸の少ない円柱状のツマミ部材を採用することが行われている。
【０００６】
しかし、凹凸の少ない円柱状のツマミ部材では使用者の指が滑り易く、押し回し操作や回動操作が円滑に行えないおそれがある。
【０００７】
そこで、円柱状のツマミ部材の外周面に、軸線に沿った方向に外周面の一部を削り取ったような平坦な滑り止め部を周方向に当間隔に複数形成したものが提案されている（例えば、特許文献２参照）。
【先行技術文献】
【特許文献】
【０００８】
【特許文献１】特開２００４−２０１５６号公報（図１）
【特許文献２】特開２０１７−３１６５号公報（図３、図４、図７、図８）
【発明の概要】
【発明が解決しようとする課題】
【０００９】
上記引用文献２のツマミ部材は、円筒状の外周面部に等間隔に平坦な滑り止め部が形成されていることにより、円弧の湾曲面と滑り止め部の平坦な面とが周方向に交互に配置されている。このため、ツマミ部材の回転操作を行うときに、滑り止め部からずれて湾曲面の部分を摘んでしまうと、湾曲面に沿って周方向に指が滑り易く、円滑な回転操作が行えないおそれがある。
【００１０】
上記の点に鑑み、本発明は、デザインが高く、且つ指の滑りを防止して操作を確実に行うことができるツマミ部材を備えた調理装置を提供することを目的とする。
【課題を解決するための手段】
【００１１】
かかる目的を達成するために、本発明は、加熱部と、該加熱部を操作する回動操作軸と、該回動操作軸を基端部側に装着するツマミ部材とを備える調理装置において、前記ツマミ部材は、前記回動操作軸の軸線に直交する方向に広がる円形状の先端面部と、該先端面部の外周から前記回動操作軸の軸線に沿って前記基端部に向かって延びる外周面部とを備え、前記外周面部は、少なくとも前記回動操作軸の軸線に沿った方向の所定範囲の横断面視形状が、先端面部側に位置する始端から基端部側に位置する終端にかけて直線状に延びる複数の角部を有する多角形状にとなるように形成されており、前記外周面部の基端部の外接円は、先端面部の外接円と同径以下であり、前記外周面部の多角形状を構成する各角部の内角は、該角部の始端より該角部の終端の方が小とされていることを特徴とする。
【００１２】
本発明によれば、ツマミ部材の外周面部が多角形状とされているだけでなく、各角部の内角が、始端より終端の方が小とされていることにより、目につきやすい先端面部側では角部を目立たなくしながら、角部による指掛かりが得られ、回動操作を確実に行うことができる。
【００１３】
なお、回動操作軸の軸線に沿った方向の所定範囲として、具体的には、回動操作の際に指腹に接する範囲とすることが挙げられるが、先端面部と外周面部との境界周縁から前記基端部の周縁にかけての全長にわたる範囲としてもよい。
【００１４】
また、本発明において、前記ツマミ部材の多角形状の前記外周面部は、外接円が前記基端部に近づくに従い次第に小径となる形状とされていることを特徴とする。
【００１５】
これによれば、ツマミ部材の先端面部側からツマミ部材を見たとき、先端面部よりも小径の円に内接する多角形状の部分が、円形状の先端面部に隠される。これにより、凹凸の少ない円柱状のツマミ部材を採用した場合と同等の外観が得られ、デザイン性が高い。
【００１６】
また、本発明において、前記ツマミ部材における前記外周面部の各角部は、周方向に沿って等間隔に配設されていることを特徴する。
【００１７】
外周面部の各角部が等間隔であることにより、ツマミ部材がどの角度に回転していても、ツマミ部材を摘まむ際に外周面部の各角部間に指を当接させることが容易であり、操作性が良い。
【００１８】
また、本発明において、前記ツマミ部材の前記外周面部における横断面視多角形の辺の形状は、先端側から基端側にかけての各位置において、前記外周面部の外接円を超えない範囲で、凸状の円弧から直線を経て凹状の円弧に変化することを特徴する。
【００１９】
これによれば、ツマミ部材を摘まむ際に、外周面部の曲面によって違和感なく各角部間に指を当てることができるだけでなく、基端部側の凹状の円弧により形成される凹入形状の曲面により指の収まりが極めて良好となる。よって、回動操作時の指の滑りを一層確実に抑えることができる。
【００２０】
また、本発明において、前記ツマミ部材の前記外周面部は、７〜９角形に形成されていることを特徴とする。
【００２１】
ツマミ部材の外周面部が６角以下の多角形であると、角部への指の掛かりが確実となる反面、角部が目立ちすぎるため、先端面部を円形としたことによる円形状のデザイン性の高さが望めない。ツマミ部材の外周面部が１０角以上の多角形であると、角部が目立たなくなる反面、角部への指の掛かりが浅くなるため指が滑り易く回動操作性が低下する。本発明においては、外周面部が７〜９角形に形成されていることにより、角部が目立たず、しかも角部への指の掛かりが確実に得られるので、デザイン性の高さと回動操作性の高さを両立させることができる。
【００２２】
このとき、前記ツマミ部材の前記外周面部の外接円の直径は、３３mm〜３８mmに設定されていることが好ましい。
【００２３】
人間の指の太さは個人差があるものの、示指の幅は約１４mm〜約２０mmの範囲に集中している。このことから、指に接して十分な密着感が得られ（摘んだときに指が比較的安定して接する面が得られ）且つ角部の指掛かりが得られる角部間の間隔寸法（多角形の辺の長さに相当する）としては、示指の幅の８０％以上で約１１mm以上必要である。更に、ツマミ部材は、直径が大きいほど小さい力で回動操作軸を回動させることができるとともに、回動角度の微調整が可能となる。一方、外周面部を７〜９角形に形成したときの上記角部間の好ましい間隔寸法は、外周面部の基端部の外接円の直径が３３mm〜３８mmに設定されることによって得ることができる。これによれば、ツマミ部材の外周面部の各角部間に、指が接したとき十分な密着感が得られ且つ角部の指掛かりが十分に得られる面が形成されるので、回動操作性を向上させることができる。
【図面の簡単な説明】
【００２４】
【図１】ガスコンロの平面図。
【図２】ツマミ部材の説明的縦断面図。
【図３】ツマミ部材の斜視図。
【図４】ツマミ部材の底面図。
【図５】ツマミ部材の側面図。
【図６】図６Ａは図５のVIＡ−VIＡ線断面図、図６Ｂは図５のVIＢ−VIＢ線断面図、図６Ｃは図５のVIＣ−VIＣ線断面図。
【図７】ツマミ部材の一部を示す説明的断面図。
【図８】ツマミ部材の一部の変形例を示す説明的断面図。
【図９】直径及び多角形の角数毎の角部間の間隔寸法を示す図。
【図１０】ツマミ部材の変形例を示す底面図。
【図１１】ツマミ部材の他の変形例を示す底面図。
【発明を実施するための形態】
【００２５】
本発明の一実施形態を図面に基づいて説明する。図１は本発明の調理装置の実施形態であるガスコンロ１を示している。本実施形態のガスコンロ１は、天板２と、ガスバーナ３（加熱部）と、ツマミ部材４とを備えている。また、天板２上にはガスバーナ３を囲う五徳５が載置されている。
【００２６】
図２に示すように、ツマミ部材４は、天板２の上方に突出する回動操作軸６に取り付けられている。回動操作軸６は、天板２の下方にある図外のガスコックに設けられており、天板２に形成された貫通孔７を介して上方向に延びている。
【００２７】
天板２の貫通孔７には円形の内枠部材８が挿着されている。内枠部材８は、貫通孔７の内周縁全周に沿って起立する筒状壁９と、筒状壁９の下縁から天板２の下面に沿って広がる鍔状部１０とを備えている。内枠部材８と貫通孔７との間にはシール剤１１が充填されている。内枠部材８は、貫通孔７からの煮こぼれ等の流下を防止する。
【００２８】
図示しないが、ガスコックは点火スイッチを備えており、回動操作軸６を操作することで、ガスバーナ３の点火・消火、及びガスバーナ３への燃料の供給量の調節が行えるようになっている。
【００２９】
回動操作軸６の操作はツマミ部材４を介して行われる。即ち、ガスバーナ３の点火の際には、ツマミ部材４を介して回動操作軸６を軸線方向下方に押し込み時計回りに回転させる押し回し操作を行う。ガスバーナ３の火力調整や消火の際には、ツマミ部材４を介して回動操作軸６を時計回り又は反時計回りの適宜方向に回転させる回動操作を行う。
【００３０】
ツマミ部材４は、図２に示すように、先端面部１２と、先端面部１２の外周から下方に延びる外周面部１３と、先端面部１２の下面中央から下方に延びて回動操作軸６に連結する連結軸部１４とを備えている。外周面部１３と連結軸部１４との間には環状空間１５が形成されている。連結軸部１４は外周面部１３の基端部１６よりも下方に突出している。更に、先端面部１２と外周面部１３との境界部分には面取り部１７が形成されている。なお、本実施形態の説明においては、面取り部１７を先端面部１２の一部とし、外周面部１３の先端（図２では上端）を外周面部１３と面取り部１７との境界とする。
【００３１】
先端面部１２は、図２及び図３に示すように、回動操作軸６の軸線に直交する方向に広がる円形状（本実施形態では略真円）とされている。外周面部１３は、図３及び図４に示すように、多角形状（本実施形態では８角形）とされ、多角形状を形成する複数の角部１８は、先端面部１２側から基端部１６に向かって直線状に延びる。
【００３２】
このとき、図３を参照して、角部１８は、回動操作軸６の軸線に沿った方向の所定範囲に形成され、その先端面部１２側に位置する始端１８ａの内角より、基端部１６側に位置する終端１８ｂの内角の方が小とされている。なお、上記所定範囲として好ましくは、回動操作の際に指腹に接する範囲とすることが挙げられるが、本実施形態においては、図５に示すように、角部１８の始端１８ａを先端面部１２（面取り部１７）より僅かに下方位置（基端部１６側）とし、角部１８の終端１８ｂを基端部１６と同等位置とする範囲を採用している。
【００３３】
これにより、先端面部１２側から臨んだとき、角部１８の存在が然程目立たない。しかも、角部１８によって指掛かりが良く、ツマミ部材４の回動操作を確実に行うことができる。
【００３４】
また、外周面部１３は、図５に示すように、先端面部１２側から基端部１６に向かって回動操作軸６に次第に接近する形状、即ち、多角形状（８角形）の外接円が基端部１６に近づくに従い次第に小径となる側面視台形状とされている。
【００３５】
このように、外周面部１３は、側面視台形状（この姿勢によれば逆台形状である）であるので、外周面部１３の基端部１６が多角形であっても、図１に示すように、平面視すると先端面部１２の円形が視認され、外周面部１３が多角形であることによるデザイン性の低下を抑えることができる。
【００３６】
しかも、押し回し操作のために指腹を先端面部１２の周縁部に当接させてツマミ部材４を押し込むとき、先端面部１２よりも小径の外周面部１３に指腹が触れにくく、指腹の外周面部１３の基端部１６に向かう滑りが防止されるので、指腹の掛かり具合が深く、高い操作性が得られる。このとき、指腹が面取り部１７に触れるため、指腹が受ける感触も良好である。
【００３７】
また、図６及び図７に示すように、外周面部１３の各角部１８間の面は、先端面部１２から基端部１６にかけて滑らかに連続する曲面により構成されている。なお、図７は、説明の便宜上曲面形状を誇張して示している。
【００３８】
ここで、外周面部１３の各角部１８間の面について、更に詳しく説明する。前述したように、各角部１８は、先端面部１２側の内角より、基端部１６側の内角の方が小とされている。この形状は、各角部１８間の面１９の形状に伴って形成されている。各角部１８を結ぶ辺（横断面視多角形の辺）の形状は、図６Ａ、図６Ｂ及び図６Ｃに示すように、ツマミ部材４の横断面位置によって異なっている。
【００３９】
即ち、図６Ａは、図５の先端面部１２近傍のVIＡ−VIＡ線断面を示すが、各角部１８を結ぶ辺１９ａの形状は、外周面部１３の外接円の円弧に対応して凸状の円弧である。図６Ｂは、図６Ａの位置よりも基端部１６側の断面で、図５のVIＢ−VIＢ線断面を示すが、各角部１８を結ぶ辺１９ｂの形状は直線となっている。そして、図６Ｃは、図６Ｂの位置よりも基端部１６側の断面で、図５のVIＣ−VIＣ線断面を示すが、各角部１８を結ぶ辺１９ｃの形状は凹状の円弧である。そして、外周面部１３の各角部１８間の面１９は、図７に示すように、凸状の円弧（辺１９ａ）から直線部分（辺１９ｂ）を経て円弧が反転し、凹状の円弧（辺１９ｃ）に連続して変化する滑らかな曲面となっている。辺１９ａ，１９ｂ，１９ｃの変化によって、前述したように、角部１８の始端１８ａの内角より終端１８ｂの内角の方が小とされる。
【００４０】
上記の構成による面１９が形成されていることによって、外周面部１３の各角部１８間に指が収まり易くなり、回動操作時の指の滑りが確実に抑えられる。
【００４１】
なお、本発明における角部１８間の面１９の形状は図７に示す曲面形状以外に、図８Ａ、図８Ｂ、及び図８Ｃに夫々示す形状が採用できる。即ち、図８Ａに説明の便宜上誇張して示すように、基端部１６に向かって一旦凹入度合いが深くなり、基端部１６で凹入度合いがが僅かに浅くなる形状でもよい。また、図８Ｂ又は図８Ｃに示すように、外周面部１３の各角部１８間の面１９が凸から凹に直線的に変化する形状とされていてもよい。
【００４２】
更に、図４に示すように、各角部１８は、周方向に沿って等間隔に配設されており、各角部１８を直線で結ぶと正多角形（正８角形）となる形状に形成されている。これにより、ツマミ部材４が回転方向のどの位置にあっても、角部１８の位置を意識せずに摘まむことができる。
【００４３】
そして、図２に示すように、天板２上に突出する回動操作軸６にツマミ部材４を取り付けた状態では、内枠部材８の筒状壁９の上端部がツマミ部材４が有する環状空間１５に入り込んで回動操作軸６及び連結軸部１４を覆い隠す。これにより、回動操作軸６や連結軸部１４が視認されることによる外観の低下を防止することができる。
【００４４】
本実施形態のツマミ部材４は、先端面部１２（面取り部１７の外周縁）の直径が３８mmとされ、外周面部１３の基端部１６の外接円の直径が３５mmとされている。外周面部１３が８角形であることにより、互いに隣り合う一対の角部１８間の直線距離は約１３．４mmである。
【００４５】
このとき、ツマミ部材４の外周面部１３は７〜９角形であるのが好ましく、基端部１６の外接円の直径は、３３mm〜３８mmが好ましい。
【００４６】
外周面部１３が７角形よりも角数の少ない形状であると、各角部１８の角度が比較的小さく（鋭角に）なるので、角部１８への指の掛かりが確実となる。しかし、角部１８が目立ちすぎてしまい、先端面部１２の円形状が強調され難くなるので高いデザイン性を得ることができなくなる。外周面部１３が９角形よりも角数の多い形状であると、各角部１８の角度が比較的大きく（鈍角に）なって、角部１８が目立たなくなるが、角部１８への指の掛かりが浅くなってしまし、指の滑り防止が困難となる。このことから、外周面部１３は、７〜９角形に形成されていることが好ましい。
【００４７】
ここで、基端部１６の外接円の直径と外周面部１３の角部１８の数との関係から各角部１８間の間隔寸法（多角形の辺の長さ）を算出した結果を図９に示す。
【００４８】
図９に示すように、外周面部１３が７〜９角形で且つ基端部１６の外接円の直径が３３mm〜３８mmであれば、各角部１８間の間隔寸法が約１１．３mm〜約１６．５mmの範囲に収めることができる。人間の示指の幅が約１４mm〜約２０mmの範囲に集中していることから、各角部１８間の間隔寸法が約１１．３mm〜約１６．５mmの範囲に収められれば、指に接して十分な密着感を得ることができ（摘んだときに指が比較的安定して接する大きさの面を得ることができ）、角部１８への指の掛かり易さも得ることができる。
【００４９】
なお、ツマミ部材４における外周面部１３の基端部１６側に位置する各角部１８間の面は、その変形例として、図１０に示すように、各角部１８間を結ぶ直線に沿って広がる平坦面２０（凹入させていない面）としてもよい。また、各角部１８間の面の他の変形例として、図１１に示すように、外側に突出する湾曲面２１としてもよい。
【００５０】
また、本実施形態においては、調理装置としてガスバーナ３を加熱部として備えるガスコンロ１を挙げたが、本発明の調理装置はこれに限るものではなく、例えば、ＩＨコンロ等にも好適に採用することができる。
【００５１】
また、本実施形態においては、図２に示すように、ツマミ部材４の外周面部１３の多角形状（８角形）の外接円が基端部１６に近づくに従い次第に小径となる側面視台形状とされているものを挙げて説明したが、本発明のツマミ形状の側面視形状はこれに限るものではなく、図示しないが、外周面部１３の基端部１６の外接円が、先端面部１２（正確には面取り部１７の外周）の外接円と同径以下であればよく、側面視長方形状或いは側面視正方形状であってもよい。
【符号の説明】
【００５２】
１…ガスコンロ（調理装置）、３…ガスバーナ（加熱部）、４…ツマミ部材、６…回動操作軸、１２…先端面部、１３…外周面部、１６…基端部、１８…角部、１８ａ…角部の始端、１８ｂ…角部の終端。
【図１】
2019132558.tif 000003
【図２】
2019132558.tif 000004
【図３】
2019132558.tif 000005
【図４】
2019132558.tif 000006
【図５】
2019132558.tif 000007
【図６】
2019132558.tif 000008
【図７】
2019132558.tif 000009
【図８】
2019132558.tif 000010
【図９】
2019132558.tif 000011
【図１０】
2019132558.tif 000012
【図１１】
2019132558.tif 000013